(57)【要約】【課題】検電する際の作業手順の遵守を支援することが可能な情報処理システムを提供する。【解決手段】情報処理システムは、検電器と、検電器と通信可能に構成された端末装置とを備える。検電器は、検電対象物の通電状態を検知する検知部と、検電器の健全性を確認するための指示を受け付ける入力部とを含む。端末装置は、検電器を用いた一連の作業に関する情報を報知する報知部を含む。報知部は、一連の作業のうち、作業者が現在行なうべき作業を報知する。一連の作業は、入力部を用いた検電器の健全性の確認作業と、検知部を用いた検電対象物の通電状態の確認作業とを含む。【選択図】図４
2019144111.tif 000002
【特許請求の範囲】
【請求項１】
検電器と、前記検電器と通信可能に構成された端末装置とを備える情報処理システムであって、
前記検電器は、
検電対象物の通電状態を検知する検知部と、
前記検電器の健全性を確認するための指示を受け付ける入力部とを含み、
前記端末装置は、
前記検電器を用いた一連の作業に関する情報を報知する報知部を含み、
前記報知部は、前記一連の作業のうち、作業者が現在行なうべき作業を報知し、
前記一連の作業は、前記入力部を用いた前記検電器の健全性の確認作業と、前記検知部を用いた前記検電対象物の通電状態の確認作業とを含む、情報処理システム。
【請求項２】
前記報知部は、
前記検電器の健全性の確認作業の作業結果として、前記検電器から受信した前記健全性の確認結果を報知し、
前記検電対象物の通電状態の確認作業の作業結果として、前記検電器から受信した前記検知部の検知結果を報知する、請求項１に記載の情報処理システム。
【請求項３】
前記端末装置は、前記一連の作業の各々について、当該作業の完了を示す完了情報の入力を受け付ける端末入力部をさらに含み、
前記報知部は、
前記一連の作業のうちの所定作業が完了した場合には、当該所定作業の次に前記作業者が行なうべき作業を報知する、請求項１または２に記載の情報処理システム。
【請求項４】
前記一連の作業は、既知電源を用いた前記検知部の検知機能の確認作業をさらに含み、
前記検電対象物の通電状態の確認作業は、前記検電器の健全性の確認作業および前記既知電源を用いた前記検知部の検知機能の確認作業の後に行われる、請求項３に記載の情報処理システム。
【請求項５】
前記端末装置は、
前記一連の作業の各々の履歴情報を登録する履歴情報格納部と、
前記端末装置の位置情報を取得する位置情報取得部とをさらに含み、
前記所定作業の前記履歴情報は、前記所定作業の識別情報と、前記所定作業における前記完了情報の入力が受け付けられたときの前記位置情報とを含む、請求項３または４に記載の情報処理システム。
【請求項６】
前記端末装置と通信可能に構成されたサーバをさらに備え、
前記端末装置は、前記履歴情報を前記サーバに送信する情報通信部をさらに含む、請求項５に記載の情報処理システム。
【請求項７】
前記端末装置は、
前記所定作業が行われるべき場所情報と、前記端末装置の現在の位置情報とに基づいて、前記所定作業が適切に行われたか否かを判定する判定部をさらに含み、
前記所定作業が適切に行われていない場合に、前記報知部は、警告情報を報知する、請求項３〜６のいずれか１項に記載の情報処理システム。
【請求項８】
検電器と通信可能に構成された端末装置であって、
前記検電器は、検電対象物の通電状態を検知する検知部と、前記検電器の健全性を確認するための指示を受け付ける入力部とを含み、
前記端末装置は、前記検電器を用いた一連の作業に関する情報を報知する報知部を備え、
前記報知部は、前記一連の作業のうち、作業者が現在行なうべき作業を報知し、
前記一連の作業は、前記入力部を用いた前記検電器の健全性の確認作業と、前記検知部を用いた前記検電対象物の通電状態の確認作業とを含む、端末装置。
【発明の詳細な説明】
【技術分野】
【０００１】
本開示は、情報処理システムに関し、特に、検電器と、当該検電器と通信可能に構成された端末装置とを備える情報処理システムに関する。
【背景技術】
【０００２】
従来、電力設備が通電状態であるか、停電状態であるかを確認するため、電力設備の所定の部位が帯電しているか否かを検知する検電器が用いられている。
【０００３】
例えば、特開２０１４−１００５９号公報（特許文献１）には、湿潤時においても安全な検電作業を行なうための検電器が開示されている。この検電器は、被検部における通電を検知する検電部と、当該検電部を手元より離隔した箇所に至らしめる伸長部と、当該伸長部に連結し作業者による保持を受ける操作部とから構成されている。
【先行技術文献】
【特許文献】
【０００４】
【特許文献１】特開２０１４−１００５９号公報
【発明の概要】
【発明が解決しようとする課題】
【０００５】
検電器を使用する際には、労働安全衛生規則により、作業者の安全を確保するために検電性能について確認すること（使用前点検）が義務付けられている。しかし、使用前点検を行なわなくても実際の検電作業を実施できるため、適切な作業手順を遵守せずに実際の検電作業が行なわれるケースもあった。特許文献１では、湿潤時においても安全な検電作業を行なうことを検討しているが、上記作業手順の遵守を支援するような機能については触れられておらず、上記問題が発生する可能性がある。
【０００６】
本開示のある局面における目的は、検電する際の作業手順の遵守を支援することが可能な情報処理システム、および端末装置を提供することである。
【課題を解決するための手段】
【０００７】
ある実施の形態に従うと、検電器と、検電器と通信可能に構成された端末装置とを備える情報処理システムが提供される。検電器は、検電対象物の通電状態を検知する検知部と、検電器の健全性を確認するための指示を受け付ける入力部とを含む。端末装置は、検電器を用いた一連の作業に関する情報を報知する報知部を含む。報知部は、一連の作業のうち、作業者が現在行なうべき作業を報知する。一連の作業は、入力部を用いた検電器の健全性の確認作業と、検知部を用いた検電対象物の通電状態の確認作業とを含む。
【０００８】
好ましくは、報知部は、検電器の健全性の確認作業の作業結果として、検電器から受信した健全性の確認結果を報知し、検電対象物の通電状態の確認作業の作業結果として、検電器から受信した検知部の検知結果を報知する。
【０００９】
好ましくは、端末装置は、一連の作業の各々について、当該作業の完了を示す完了情報の入力を受け付ける端末入力部をさらに含む。報知部は、一連の作業のうちの所定作業が完了した場合には、当該所定作業の次に作業者が行なうべき作業を報知する。
【００１０】
好ましくは、一連の作業は、既知電源を用いた検知部の検知機能の確認作業をさらに含む。検電対象物の通電状態の確認作業は、検電器の健全性の確認作業および既知電源を用いた検知部の検知機能の確認作業の後に行われる。
【００１１】
好ましくは、端末装置は、一連の作業の各々の履歴情報を登録する履歴情報格納部と、端末装置の位置情報を取得する位置情報取得部とをさらに含む。所定作業の履歴情報は、所定作業の識別情報と、所定作業における完了情報の入力が受け付けられたときの位置情報とを含む。
【００１２】
好ましくは、端末装置と通信可能に構成されたサーバをさらに備える。端末装置は、履歴情報をサーバに送信する情報通信部をさらに含む。
【００１３】
好ましくは、端末装置は、所定作業が行われるべき場所情報と、端末装置の現在の位置情報とに基づいて、所定作業が適切に行われたか否かを判定する判定部をさらに含む。所定作業が適切に行われていない場合に、報知部は、警告情報を報知する。
【００１４】
他の実施の形態に従うと、検電器と通信可能に構成された端末装置が提供される。検電器は、検電対象物の通電状態を検知する検知部と、検電器の健全性を確認するための指示を受け付ける入力部とを含む。端末装置は、検電器を用いた一連の作業に関する情報を報知する報知部を備える。報知部は、一連の作業のうち、作業者が現在行なうべき作業を報知する。一連の作業は、入力部を用いた検電器の健全性の確認作業と、検知部を用いた検電対象物の通電状態の確認作業とを含む。
【発明の効果】
【００１５】
本開示によると、検電する際の作業手順の遵守を支援することが可能となる。
【図面の簡単な説明】
【００１６】
【図１】情報処理システムの構成を概略的に示す図である。
【図２】検電器のハードウェア構成の一例を示すブロック図である。
【図３】端末装置のハードウェア構成の一例を示すブロック図である。
【図４】情報処理システムの動作概要を説明するためのシーケンス図である。
【図５】履歴情報データベースの一例を示す図である。
【図６】一連の作業のうちの１番目の作業の際に表示されるユーザインターフェイス画面の一例を示す図である。
【図７】一連の作業のうちの２番目の作業Ｗ２に関するユーザインターフェイス画面の一例を示す図である。
【図８】一連の作業のうちの３番目の作業Ｗ３に関するユーザインターフェイス画面の一例を示す図である。
【図９】一連の作業のうちの４番目の作業Ｗ４に関するユーザインターフェイス画面の一例を示す図である。
【図１０】一連の作業のうちの４番目の作業Ｗ４に関するユーザインターフェイス画面の一例を示す図である。
【図１１】検電器および端末装置の機能構成を示すブロック図である。
【図１２】端末装置の動作の一例を示すフローチャートである。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜システム構成＞
図１は、情報処理システム１０００の構成を概略的に示す図である。図１を参照して、情報処理システム１０００は、検電器１０と、端末装置２０と、サーバ３０とを含む。
【００１９】
本実施の形態では、情報処理システム１０００は、配電線５の検電を行なう場合に用いられる。配電線５は、例えば、６．６ｋＶの高圧三相配電線から構成されている。
【００２０】
検電器１０は、検電対象物の通電状態（すなわち、通電している状態）を検知する検知センサ１１０を有している。この検知センサ１１０を検電対象物（例えば、配電線５）に接触させると、接触した検電対象物の電圧に応じてスピーカ１１４から音声が出力されたり、ＬＥＤ１１６が発光したりする。これにより、作業者は検電対象物の通電状態を確認できる。
【００２１】
検電器１０には、当該検電器１０の健全性を確認するためのテストボタン１０８が設けられている。具体的には、テストボタン１０８が押下されると、検電器１０の電池電圧および内部回路がチェックされる。収納された電池の残量が十分であり検電器１０が正常に動作する場合には、スピーカ１１４から音声が出力されたり、ＬＥＤ１１６が発光したりする。なお、正常に動作しない場合には、音声出力および発光が行なわれない。これにより、作業者は検電器１０の健全性を確認できる。
【００２２】
検電器１０および端末装置２０は、Ｂｌｕｅｔｏｏｔｈ（登録商標）などの近距離無線通信を介して通信可能に構成されている。検電器１０は、近距離無線通信を利用して、通電状態を示す情報、および検電器１０の健全性を示す情報を端末装置２０に送信する。具体的には、検電器１０は、検電対象物に所定電圧以上の電圧が供給されている（すなわち、通電している）ことを検知した場合に、当該検知結果を通電状態を示す情報として端末装置２０に送信する。検電器１０は、電池電圧および内部回路が正常である場合に、当該正常であることを示す情報を、健全性を示す情報として端末装置２０に送信する。
【００２３】
端末装置２０は、例えば、タッチパネルを備えるスマートフォンである。以下では、スマートフォンを「端末装置」の代表例として説明を行なう。ただし、端末装置は、タブレット端末装置、パーソナルコンピュータ等のような他の装置であってもよい。
【００２４】
端末装置２０は、検電器１０から受信した情報（例えば、通電状態を示す情報、検電器１０の健全性を示す情報等）をディスプレイに表示する。これにより、端末装置２０のユーザ（例えば、作業者および監督者）は、検電器１０の健全性および検査対象物の通電状態を確認することができる。
【００２５】
ここで、「作業者」は、実際に検電対象物（例えば、配電線５）に検電器１０を接触させて、検電対象物の検電を行なう者である。「監督者」は、１人以上の作業者の作業を監督する立場にある者である。通常、検電に関する一連の作業は、このような「作業者」および「監督者」が連携することにより行なわれる。
【００２６】
また、端末装置２０は、検電に関する一連の作業（以下、単に「一連の作業」とも称する。）に関する情報をディスプレイに表示して、適切な作業をユーザ（作業者および監督者）に促すことができる。例えば、端末装置２０は、一連の作業のうちの作業者が現在行なうべき作業、一連の作業の進捗状況等を示す情報をディスプレイに表示する。これらの表示内容についての詳細は後述する。
【００２７】
端末装置２０は、移動体通信網を介して、サーバ３０と通信可能に構成されている。端末装置２０は、検電器１０を使用した作業の履歴情報として、一連の作業の各々の完了の有無を示す情報、各作業の作業結果を示す情報、各作業が行なわれた日時、各作業が行なわれたときの端末装置２０の位置情報等をサーバ３０に送信する。
【００２８】
サーバ３０は、端末装置２０から送信される履歴情報を順次記憶して、履歴情報の集合である履歴情報データベースを提供する。履歴情報データベースの詳細については後述する。端末装置２０は、サーバ３０にアクセスすることにより、履歴情報を確認することができる。
【００２９】
以下、情報処理システム１０００についてより詳細に説明する。
＜ハードウェア構成＞
（検電器）
図２は、検電器１０のハードウェア構成の一例を示すブロック図である。図２を参照して、検電器１０は、主たる構成要素として、ＣＰＵ１０２と、メモリ１０４と、通信インターフェイス１０６と、テストボタン１０８と、検知センサ１１０と、検電器１０の各部に電力を供給するバッテリ１１２と、スピーカ１１４と、ＬＥＤ１１６とを含む。
【００３０】
ＣＰＵ１０２は、メモリ１０４に記憶されたプログラムを読み出して実行することで、検電器１０の各部の動作を制御する。より詳細にはＣＰＵ１０２は、当該プログラムを実行することによって、後述する検電器１０の処理（ステップ）の各々を実現する。ＣＰＵ１０２は、たとえば、マイクロプロセッサである。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００３１】
メモリ１０４は、ＲＡＭ（Random  Access  Memory）、ＲＯＭ（Read-Only  Memory）、などによって実現される。メモリ１０４は、ＣＰＵ１０２によって実行されるプログラム、またはＣＰＵ１０２によって用いられるデータなどを記憶する。
【００３２】
通信インターフェイス１０６は、検電器１０と外部装置（例えば、端末装置２０）との間で各種データをやり取りする。通信方式としては、Ｂｌｕｅｔｏｏｔｈ（登録商標）、無線ＬＡＮ（Local  Area  Network）などを利用した近距離無線通信である。
【００３３】
テストボタン１０８は、検電器１０の内部回路が正常か否か、および検電器１０の電池電圧が正常（すなわち、電池残量が充分である）か否かを確認（テスト）するためのボタンである。
【００３４】
検知センサ１１０は、検知子とも称され、本体の先端に設けられた金具により配電線の交流電圧を検知して、当該検出された交流電圧をＣＰＵ１０２に入力する。
【００３５】
スピーカ１１４は、ＣＰＵ１０２の指示に従って音声を出力する。ＬＥＤ１１６は、ＣＰＵ１０２の指示に従って発光する。例えば、テストボタン１０８の押下により、内部回路および電池電圧が正常である場合には、ＣＰＵ１０２は、スピーカ１１４を介して所定の音声を出力し、ＬＥＤ１１６を所定のパターンで発光させる。
【００３６】
（端末装置）
図３は、端末装置２０のハードウェア構成の一例を示すブロック図である。図３を参照して、端末装置２０は、主たる構成要素として、ＣＰＵ２０２と、メモリ２０４と、タッチパネル２０６と、ディスプレイ２０８と、無線通信部２１０と、通信アンテナ２１２と、ＧＰＳモジュール２１４と、スピーカ２１６と、マイク２１８と、通信インターフェイス（Ｉ／Ｆ）２２０と、メモリインターフェイス（Ｉ／Ｆ）２２２とを含む。
【００３７】
ＣＰＵ２０２は、メモリ２０４に記憶されたプログラムを読み出して実行することで、端末装置２０の各部の動作を制御する。より詳細にはＣＰＵ２０２は、当該プログラムを実行することによって、後述する端末装置２０の処理を実現する。ＣＰＵ２０２は、たとえば、マイクロプロセッサである。
【００３８】
メモリ２０４は、ＲＡＭ、ＲＯＭ、フラッシュメモリなどによって実現される。メモリ２０４は、各種データ、ＣＰＵ２０２によって実行されるプログラムなどを記憶する。
【００３９】
タッチパネル２０６は、表示部としての機能を有するディスプレイ２０８上に設けられる。タッチパネル２０６は、抵抗膜方式、表面弾性波方式、赤外線方式、電磁誘導方式、静電容量方式などのいずれのタイプで構成されていてもよい。タッチパネル２０６は、外部の物体によるタッチパネル２０６へのタッチ操作を検知し、タッチ座標をＣＰＵ２０２に入力する。
【００４０】
ディスプレイ２０８は、例えば、液晶ディスプレイあるいは有機ＥＬ（Electro-Luminescence）ディスプレイであり、ＣＰＵ２０２からの信号に基づいて、表示画面に画像やテキストなどを表示する。
【００４１】
無線通信部２１０は、通信アンテナ２１２を介して移動体通信網に接続し無線通信のための信号の送受信を行なう。これにより、端末装置２０は、例えば、ＬＴＥ（Long  Term  Evolution）などの移動体通信網を介してサーバ３０等との通信が可能となる。
【００４２】
ＧＰＳモジュール２１４は、ＧＰＳ信号または基地局からの位置信号（測位信号）を受信して端末装置２０の位置情報を取得する。ＧＰＳモジュール２１４は、取得した端末装置２０の位置情報をＣＰＵ２０２に入力する。
【００４３】
スピーカ２１６は、ＣＰＵ２０２の指示に従って音声を出力する。マイク２１８は、端末装置２０に対する発話音声の入力を受け付けて、発話された音声に対応する信号をＣＰＵ２０２に入力する。
【００４４】
通信インターフェイス２２０は、検電器１０との間で各種データをやり取りする。通信方式としては、Ｂｌｕｅｔｏｏｔｈ（登録商標）、無線ＬＡＮなどによる近距離無線通信である。
【００４５】
メモリインターフェイス２２２は、外部の記憶媒体２２４からデータを読み出す。記憶媒体２２４としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体が挙げられる。
【００４６】
（サーバ）
サーバ３０は、後述するような情報処理を全体として提供できればよく、そのハードウェア構成については公知のものを採用することができる。従って、サーバ３０のハードウェア構成の詳細な説明は行なわない。例えば、サーバ３０は、各種処理を実行するためのＣＰＵと、データ、ＣＰＵによって実行されるプログラムなどを格納するためのメモリと、端末装置２０と各種データを送受信するための通信インターフェイスとを含む。
【００４７】
＜システムの動作概要＞
本実施の形態に従う情報処理システム１０００の動作概要について説明する。図４は、情報処理システム１０００の動作概要を説明するためのシーケンス図である。典型的には、検電器１０は作業者により使用され、端末装置２０は監督者により使用される。端末装置２０は、所定のユーザＩＤおよびパスワードをサーバ３０に送信して、サーバ３０にログインしている状態であるとする。
【００４８】
作業者および監督者は、検電器１０が保管されている場所Ｐａ（例えば、会社内）で所定の点検作業を実施した後、検電対象物（例えば、配電線５）が設けられている現場Ｐｂに移動して、検電対象物の検電を実施する場面を想定する。典型的には、以下のシーケンスＳＱ１０〜ＳＱ３６までの処理は場所Ｐａで実行され、シーケンスＳＱ３８〜ＳＱ５４までの処理は現場Ｐｂで実行される。
【００４９】
本実施の形態では、検電に関する一連の作業は４つの作業から構成される。具体的には、１番目の作業Ｗ１は、現場Ｐａにおいて、テストボタン１０８を用いて検電器１０の内部回路および電池電圧が正常か否かを確認する作業（すなわち、検電器１０の健全性の確認作業）である。２番目の作業Ｗ２は、現場Ｐａにおいて、既知電源による点検用の電圧を用いて検電器１０の電圧検知機能（すなわち、検知センサ１１０による検知機能）が正常か否かを確認する作業である。３番目の作業Ｗ３は、現場Ｐｂにおいて、テストボタン１０８を用いて検電器１０の内部回路および電池電圧が正常か否かを確認する作業である。４番目の作業Ｗ４は、現場Ｐｂにおいて、検電対象物の検電を実施する作業（すなわち、検知センサ１１０を用いた検電対象物の通電状態の確認作業）である。
【００５０】
図４を参照して、端末装置２０は、ユーザ（例えば、監督者）の指示に従って、自装置の端末ＩＤと、管理対象とする検電器１０の検電器ＩＤとを関連付けて登録する（シーケンスＳＱ１０）。なお、端末装置２０は、管理対象となり得る複数の検電器１０の検電器ＩＤをメモリ２０４に記憶している。端末装置２０は、管理対象とする検電器ＩＤと、自装置の端末ＩＤと、現在日時と、端末装置２０の位置情報とを含む登録情報をメモリ２０４に記憶する。
【００５１】
端末装置２０は、登録情報をサーバ３０に送信する（シーケンスＳＱ１４）。端末装置２０は、テストボタン１０８を用いた検電器１０の健全性を確認する作業（すなわち、作業Ｗ１）の実施を促す情報をディスプレイ２０８に表示する（シーケンスＳＱ１６）。これにより、監督者は、作業者に対して当該作業を指示することができる。なお、作業者自身が端末装置２０のディスプレイ２０８を視認してもよい。なお、シーケンスＳＱ１４およびＳＱ１６の順序は、これに限られず順不同である。
【００５２】
監督者からの指示に従って（あるいは、作業者がディスプレイ２０８に表示された情報を視認して）、作業者は検電器１０のテストボタン１０８を押下する（シーケンスＳＱ１８）。検電器１０は、テストボタン１０８の入力を受け付けると、検電器１０の内部回路および電池電圧が正常であることを示す動作確認情報を端末装置２０に送信する（シーケンスＳＱ２０）。なお、動作確認情報は、検電器１０の検電器ＩＤと、内部回路および電池電圧が正常であることを示す情報とを含む。このとき、検電器１０は、正常結果に応じた音声出力や発光を行なう。
【００５３】
端末装置２０は、動作確認情報を受信して、動作が正常である旨（例えば、「テストＯＫ」等）を表示する（シーケンスＳＱ２２）。なお、内部回路および電池電圧の少なくとも一方が異常である場合には、検電器１０から動作確認情報が送信されないため、上記表示が行なわれない。これにより、監督者および作業者は、検電器１０の内部回路および電池電圧の異常の有無を判断できる。
【００５４】
端末装置２０は、監督者から作業Ｗ１の完了を承認する指示を受け付けると、作業Ｗ１の履歴情報を端末装置２０に送信する（シーケンスＳＱ２４）。作業Ｗ１の履歴情報は、ユーザＩＤと、現在日時と、検電器ＩＤと、作業Ｗ１の識別情報と、作業Ｗ１の作業結果と、端末装置２０の位置情報と、承認の有無を示す承認情報とを含む。なお、端末装置２０は、監督者からの承認指示を受け付ける前に、作業Ｗ１の履歴情報を端末装置２０に送信してもよい。この場合、承認情報は「承認無し」を示すことになる。サーバ３０は、作業Ｗ１の履歴情報を記憶する。
【００５５】
また、端末装置２０は、監督者から作業Ｗ１の完了を承認する指示を受け付けると、作業Ｗ１の次の作業として、既知電源による点検用の電圧を用いて検電器１０の電圧検知機能が正常か否かを確認する作業（すなわち、作業Ｗ２）の実施を促す情報をディスプレイ２０８に表示する（シーケンスＳＱ２６）。これにより、監督者は、作業者に対して作業Ｗ２を指示することができる。なお、作業者自身が端末装置２０のディスプレイ２０８を視認してもよい。なお、シーケンスＳＱ２４およびＳＱ２６の順序は、これに限られず順不同である。
【００５６】
監督者からの指示に従って、作業者は既知電源（例えば、検電器チェッカー）を用いて検電器１０の検知センサ１１０に電圧を印加する（シーケンスＳＱ２８）。検電器１０は、当該電圧を検知すると、当該検電器１０の検知センサ１１０により通電状態を検知したことを示す検知結果を端末装置２０に送信する（シーケンスＳＱ３０）。検知結果は、検電器１０の検電器ＩＤと、通電状態を検知したことを示す情報とを含む。このとき、検電器１０は、通電を示す結果に応じた音声出力や発光を行なう。
【００５７】
端末装置２０は、検知結果を受信して、通電を示す結果を表示する（シーケンスＳＱ３２）。なお、検電器１０の電圧検知機能が異常である場合には、検電器１０から検知結果が送信されないため、上記表示が行なわれない。これにより、監督者は、検電器１０の電圧検知機能の異常の有無を判断できる。
【００５８】
端末装置２０は、監督者から作業Ｗ２の完了を承認する指示を受け付けると、作業Ｗ２の履歴情報を端末装置２０に送信する（シーケンスＳＱ３４）。作業Ｗ２の履歴情報は、ユーザＩＤと、現在日時と、検電器ＩＤと、作業Ｗ２の識別情報と、作業Ｗ２の作業結果と、端末装置２０の位置情報と、承認の有無を示す承認情報とを含む。サーバ３０は、作業Ｗ２の履歴情報を記憶する。
【００５９】
また、端末装置２０は、監督者から作業Ｗ２の完了を承認する指示を受け付けると、作業Ｗ２の次の作業として、現場Ｐｂにおいて、テストボタン１０８を用いた検電器１０の健全性を確認する作業（すなわち、作業Ｗ３）の実施を促す情報をディスプレイ２０８に表示する（シーケンスＳＱ３６）。これにより、監督者は、作業者に対して作業Ｗ３を指示することができる。なお、シーケンスＳＱ３４およびＳＱ３６の順序は、これに限られず順不同である。
【００６０】
監督者および作業者は、場所Ｐａから現場Ｐｂに移動する。作業者は、検電器１０のテストボタン１０８を押下する（シーケンスＳＱ３８）。検電器１０は、テストボタン１０８の入力を受け付けると、内部回路および電池電圧が正常であることを示す動作確認情報を端末装置２０に送信する（シーケンスＳＱ４０）。
【００６１】
端末装置２０は、動作確認情報を受信して、動作が正常である旨を表示する（シーケンスＳＱ４２）。端末装置２０は、監督者から作業Ｗ３の完了を承認する指示を受け付けると、作業Ｗ３の履歴情報を端末装置２０に送信する（シーケンスＳＱ４４）。作業Ｗ３の履歴情報は、ユーザＩＤと、現在日時と、検電器ＩＤと、作業Ｗ３の識別情報と、作業Ｗ３の作業結果と、端末装置２０の位置情報と、承認情報とを含む。
【００６２】
また、端末装置２０は、監督者から作業Ｗ３の完了を承認する指示を受け付けると、作業Ｗ３の次の作業として、検電対象物の検電作業（すなわち、作業Ｗ４）の実施を促す情報をディスプレイ２０８に表示する（シーケンスＳＱ４６）。これにより、監督者は、作業者に対して作業Ｗ４を指示できる。なお、シーケンスＳＱ４４およびＳＱ４６の順序は、これに限られず順不同である。
【００６３】
監督者からの指示に従って、作業者は検査対象物（ここでは、配電線５）に検知センサ１１０を接触させる。検電器１０は、配電線５の通電を検知して（シーケンスＳＱ４８）、当該通電を検知したことを示す検知結果を端末装置２０に送信する（シーケンスＳＱ５０）。このとき、検電器１０は、通電を示す結果に応じた音声出力や発光を行なう。
【００６４】
端末装置２０は、検知結果を受信して、通電を示す結果を表示する（シーケンスＳＱ５２）。なお、配電線５が通電状態ではない場合には、検電器１０から検知結果が送信されないため、上記表示が行なわれない。これにより、監督者は、配電線５の通電の有無を判断できる。
【００６５】
端末装置２０は、監督者から作業Ｗ４の完了を承認する指示を受け付けると、作業Ｗ４の履歴情報を端末装置２０に送信する（シーケンスＳＱ５４）。作業Ｗ４の履歴情報は、ユーザＩＤと、現在日時と、検電器ＩＤと、作業Ｗ４の識別情報と、作業Ｗ４の作業結果と、端末装置２０の位置情報と、承認の有無を示す承認情報とを含む。サーバ３０は、作業Ｗ４の履歴情報を記憶する。
【００６６】
＜履歴情報データベース＞
サーバ３０により管理される各作業の履歴情報データベースについて説明する。図５は、履歴情報データベース５００の一例を示す図である。図５を参照して、履歴情報データベース５００は、ユーザＩＤと、日時と、検電器ＩＤと、作業ＩＤと、作業結果と、位置情報と、承認情報とを含む履歴情報の集合である。なお、履歴情報は、端末装置２０の端末ＩＤをさらに含んでいてもよい。
【００６７】
ユーザＩＤは、各作業を行なった際にログインしていたユーザのＩＤである。日時情報は、年月日を示している。検電器ＩＤは、検電器１０の識別情報（例えば、検電器１０の製造番号）である。作業ＩＤは、上述した各作業Ｗ１〜Ｗ４の識別情報（例えば、各作業の順番）を示している。そのため、作業Ｗ１，Ｗ２，Ｗ３，Ｗ４の作業ＩＤは、それぞれ「１」，「２」，「３」，「４」となる。
【００６８】
具体例として、ユーザＩＤ「Ｕ１」でログインした端末装置２０（以下、「端末装置２０ｕ１」とも称する。）は、日時「２０１７年９月１４日 １６時３２分３７秒」に、会社内等の場所Ｐａを示す位置「Ａ市Ｂ町」において、検電器ＩＤ「Ｅ５」の検電器１０（以下、「検電器１０ｅ５」とも称する。）を用いた作業Ｗ１の作業結果「テストＯＫ」を、監督者が未承認の状態で送信している。その２分後の日時「２０１７年９月１４日 １６時３４分３７秒」に、端末装置２０ｕ１は、上記作業Ｗ１の作業結果「テストＯＫ」を、監督者が承認済の状態で送信している。作業結果「テストＯＫ」は、電池電圧および内部回路が正常であることを示している。
【００６９】
次に、端末装置２０ｕ１は、日時「２０１７年９月１４日 １６時３８分３４秒」に、位置「Ａ市Ｂ町」において、検電器１０ｅ５を用いた作業Ｗ２の作業結果「活線」を、監督者が承認済の状態で送信している。作業Ｗ２の作業結果「活線」は、検電器１０により電圧が正常に検知されたこと（すなわち、検電器１０の電圧検知機能が正常であること）を示している。
【００７０】
上記送信から約３時間後の日時「２０１７年９月１４日 １９時３８分５４秒」に、端末装置２０ｕ１は、現場Ｐｂに対応する位置「Ｄ市Ｅ町」において、検電器１０ｅ５を用いた作業Ｗ３の作業結果「テストＯＫ」を、監督者が承認済の状態で送信している。そして、端末装置２０ｕ１は、日時「２０１７年９月１４日 １９時３９分３秒」に、位置「Ｄ市Ｅ町」において、検電器１０ｅ５を用いた作業Ｗ４の作業結果「無電圧」を、監督者が承認済の状態で送信している。作業Ｗ４の作業結果「無電圧」は、検知対象物（例えば、配電線５）に電圧が供給されていないことを示している。
【００７１】
他の例として、履歴情報データベース５００には、ユーザＩＤ「Ｕ２」あるいは「Ｕ３」でログインした端末装置２０からの履歴情報も記憶されている。
【００７２】
このように、端末装置２０は、サーバ３０に格納されている履歴情報データベース５００にアクセスすることにより、検電に関する一連の作業の履歴情報をユーザ単位で確認することができる。また、監督者による承認の有無、作業の抜けの有無等を確認することにより一連の作業が手順通りに実施されたのかを判断することもできる。
【００７３】
＜ユーザインターフェイス画面＞
図６〜図１０を参照して、上述した作業Ｗ１〜Ｗ４を実施する際に、端末装置２０のディスプレイ３０８に表示されるユーザインターフェイス画面の一例について説明する。以下のユーザインターフェイス画面の説明では、端末装置２０は、自装置の端末ＩＤと管理対象とする検電器１０の検電器ＩＤとを関連付けて登録済であるものとする。
【００７４】
図６は、一連の作業のうちの１番目の作業の際に表示されるユーザインターフェイス画面の一例を示す図である。
【００７５】
図６（ａ）を参照して、画面６００は、ユーザ名エリア６０１と、作業内容エリア６０２と、機器名エリア６０３と、作業結果エリア６０４と、承認ボタン６０５と、ユーザに各種情報を報知するための報知エリア６０６と、進捗状況エリア６０７と、次の画面に遷移するためのボタン６０８とを含む。これは、図６（ｂ）に示す画面６１０、図６（ｃ）に示す画面６２０、後述する図７〜図１０の各画面についても同様である。
【００７６】
図６（ａ）を参照して、ユーザ名エリア６０１には、ユーザ名が「Ｕ１」であることが示され、機器名エリア６０３には、機器名が「機器Ｘ１」であることが示されている。これらは、画面６１０，６２０および図７〜図１０の各画面についても同様である。
【００７７】
作業内容エリア６０２には、現在の作業内容と、当該作業内容の順番とが表示される。図６に示す画面６００〜６２０は、作業Ｗ１に関するユーザインターフェイス画面である。そのため、各画面６００〜６２０の作業内容エリア６０２には、作業Ｗ１の順番および作業内容の概要を示す文言「１．使用前点検（テスト）」が表示される。
【００７８】
以下、画面の遷移例について説明する。ＣＰＵ２０２は、検電用のアプリケーションを起動すると、初期画面である画面６００をディスプレイ２０８に表示する。画面６００の報知エリア６０６には、作業Ｗ１の実施を促す文言「テストしてください。」が表示される。なお、テスト前の段階であるため、画面６００の作業結果エリア６０４には何も表示されていない。
【００７９】
次に、画面６００を視認した監督者が作業者に作業Ｗ１の指示を出す（あるいは、作業者自身が画面６００を視認する）と、作業者は検電器１０のテストボタン１０８を押下する。検電器１０は、テストボタン１０８による入力を受け付けて、内部回路および電池電圧が正常であることを示す動作確認情報を端末装置２０に送信する。端末装置２０は、動作確認情報を受信すると、図６（ｂ）の画面６１０に示すように作業結果エリア６０４に文言「テストＯＫ」を表示する。
【００８０】
なお、内部回路および電池電圧の少なくとも一方が異常である場合には、検電器１０から上記情報が送信されないため、画面６００に示すように作業結果エリア６０４には何も表示されないままとなる。これにより、監督者は、作業Ｗ１が適切に実施されたか否かを判断できる。
【００８１】
なお、ＣＰＵ２０２は、画面６００を表示してから所定時間経過しても、作業結果エリア６０４に何も表示されない場合には、作業Ｗ１が適切に実施されなかった（すなわち、検電器１０に異常がある）と判断して警告表示（例えば、「使用前点検（テスト）は正常に確認できませんでした。」との文言を表示）を行なってもよい。また、画面６００に示すように作業結果エリア６０４に何も表示されない状態で、承認ボタン６０５の選択（押下）を受け付けた場合、ＣＰＵ２０２は、作業Ｗ１が適切に実施されなかったと判断して上記警告表示を行なってもよい。
【００８２】
画面６１０に表示された文言「テストＯＫ」を視認した監督者は作業Ｗ１の完了を承認するために、承認ボタン６０５を選択（押下）する。この場合、表示画面は、画面６１０から画面６２０に遷移する。図６（ｃ）に示す画面６２０の報知エリア６０６には文言「テスト動作よし」が表示される。また、進捗状況エリア６０７には、文言「ステップ１」にチェックマークが重畳して表示される。これは、一連の作業のうちの１番目の作業である作業Ｗ１の完了を確認済であることを示している。監督者は、進捗状況の更新（例えば、チェックマークの表示）を確認すると、ボタン６０８を押下する。このとき、作業Ｗ１の次の作業Ｗ２に関するユーザインターフェイス画面が表示される。なお、ボタン６０８を押下することなく、画面６２０に遷移してから所定時間経過後に作業Ｗ２に関するユーザインターフェイス画面が表示される構成であってもよい。
【００８３】
図７は、一連の作業のうちの２番目の作業Ｗ２に関するユーザインターフェイス画面の一例を示す図である。ＣＰＵ２０２は、画面６２０（図６（ｃ）参照）において、ボタン６０８の選択を受け付けると、図７（ａ）に示す画面６３０をディスプレイ２０８に表示する。画面６３０の作業内容エリア６０２には、作業Ｗ２の順番および作業内容の概要を示す文言「２．使用前点検（活線）」が表示される。なお、作業Ｗ１の順番および作業内容の概要も表示される。
【００８４】
画面６３０の報知エリア６０６には、作業Ｗ２の実施を促す文言「チェッカーを使用してください。」が表示される。なお、画面６３０は、検電器チェッカーを用いた検電器１０の動作確認前の状態での画面であるため、画面６３０の作業結果エリア６０４には何も表示されていない。
【００８５】
次に、画面６３０を視認した監督者が作業者に作業Ｗ２の実施の指示を出す（あるいは、作業者自身が画面６３０を視認する）と、作業者は検電器チェッカーを用いて検電器１０の検知センサ１１０に電圧を印加する。
【００８６】
検電器１０は、当該電圧を検知して、検電器チェッカーの通電（活線）を検知したことを示す検知結果を端末装置２０に送信する。端末装置２０は、検知結果を受信すると、図７（ｂ）に示す画面６４０の作業結果エリア６０４に文言「活線」を表示する。
【００８７】
なお、検電器チェッカーの通電を検知できない（すなわち、検電器１０の電圧検知機能が異常である）場合には、検電器１０から検知結果が送信されないため、画面６３０に示すように作業結果エリア６０４には何も表示されないままとなる。これにより、監督者は、作業Ｗ２が適切に実施されたか否かを判断できる。
【００８８】
画面６４０に表示された文言「活線」を視認した監督者は、作業Ｗ２の完了を承認するために、承認ボタン６０５を押下する。この場合、表示画面は、画面６４０から画面６５０に遷移する。図７（ｃ）に示す画面６５０の報知エリア６０６には文言「活線動作よし」が表示される。また、進捗状況エリア６０７には、文言「ステップ２」にチェックマークが重畳して表示される。これは、一連の作業のうちの２番目の作業である作業Ｗ２が完了したことを示している。
【００８９】
監督者は、画面６５０において、進捗状況の更新（例えば、チェックマークの表示）を確認すると、ボタン６０８を押下する。この場合、作業Ｗ２の次の作業Ｗ３に関するユーザインターフェイス画面が表示される。
【００９０】
図８は、一連の作業のうちの３番目の作業Ｗ３に関するユーザインターフェイス画面の一例を示す図である。ＣＰＵ２０２は、画面６５０（図７（ｃ）参照）において、ボタン６０８の選択を受け付けると、図８（ａ）の画面６６０をディスプレイ２０８に表示する。作業Ｗ３は、現場Ｐｂで実施される作業である。画面６６０の作業内容エリア６０２には、作業Ｗ３の順番および作業内容の概要を示す文言「３．現場テスト」が表示される。なお、各作業Ｗ１，Ｗ２の順番および作業内容の概要も表示される。
【００９１】
画面６６０の報知エリア６０６には、作業Ｗ３の実施を促す文言「テストしてください。」が表示される。なお、画面６６０はテスト前の状況の画面であるため、作業結果エリア６０４には何も表示されない。
【００９２】
画面６６０を視認した監督者が作業者に作業Ｗ３の指示を出すと、作業者は検電器１０のテストボタン１０８を押下する。検電器１０は、テストボタン１０８による入力を受け付けて、動作確認情報を端末装置２０に送信する。端末装置２０は、動作確認情報を受信すると、図８（ｂ）に示すように画面６６２の作業結果エリア６０４に文言「テストＯＫ」を表示する。
【００９３】
画面６６２に表示された文言「テストＯＫ」を視認した監督者は、作業Ｗ３の完了を承認するために、承認ボタン６０５を押下する。この場合、表示画面は、画面６６２から画面６６４に遷移する。図８（ｃ）に示す画面６６４の報知エリア６０６には文言「テスト動作よし」が表示される。また、進捗状況エリア６０７には、文言「ステップ３」にチェックマークが重畳して表示される。これは、一連の作業のうちの３番目の作業である作業Ｗ３の完了したことを示している。監督者は、進捗状況の更新を確認すると、ボタン６０８を押下する。この場合、作業Ｗ３の次の作業Ｗ４に関するユーザインターフェイス画面が表示される。
【００９４】
図９および図１０は、一連の作業のうちの４番目の作業Ｗ４に関するユーザインターフェイス画面の一例を示す図である。ＣＰＵ２０２は、画面６６４（図８（ｃ）参照）において、ボタン６０８の選択を受け付けると、図９（ａ）に示す画面６７０をディスプレイ２０８に表示する。画面６７０の作業内容エリア６０２には、作業Ｗ４の順番および作業内容の概要を示す文言「４．検電作業」が表示される。なお、各作業Ｗ１〜Ｗ３の順番および作業内容の概要も表示される。
【００９５】
画面６７０の報知エリア６０６には、作業Ｗ４の実施を促す文言「検電してください。」が表示される。なお、画面６７０は、検電器１０による検電対象物（例えば、配電線５）の検電を実施する前の状態での画面であるため、画面６７０の作業結果エリア６０４には何も表示されていない。
【００９６】
次に、画面６７０を視認した監督者が作業者に作業Ｗ４の指示を出すと、作業者は検電器１０を用いて配電線５の検電を実施する。配電線５が通電していない場合には、検電器１０は、検知結果を端末装置２０に送信しないため、作業結果エリア６０４には何も表示されないままとなる。
【００９７】
これにより、監督者は、配電線５が通電していないと判断し、作業Ｗ４の完了を承認するため、承認ボタン６０５を押下する。表示画面は、画面６７０から画面６８０に遷移する。図９（ｂ）に示す画面６８０の報知エリア６０６には文言「検電よし」が表示される。進捗状況エリア６０７には、文言「ステップ４」にチェックマークが重畳して表示される。これは、一連の作業のうちの４番目（すなわち、最後）の作業である作業Ｗ４が完了したことを示している。
【００９８】
ここで、作業者は、１つの検電対象物の検電が終了すると、引き続き別の検電対象物の検電を実施することも多いため、作業Ｗ１，Ｗ２が完了（例えば、承認ボタンを押下）してから所定時間（例えば、２４時間）以内であれば、作業Ｗ１，Ｗ２を省略することができる。そのため、本実施の形態では、画面６８０において、ボタン６０８が押下されると、文言「ステップ３」，「ステップ４」が消去され、画面６６０に戻る。これは、作業者が、別の検電対象物に対する作業Ｗ３，Ｗ４を実施することを考慮したものである。
【００９９】
一方、配電線５が通電している場合には、検電器１０は、配電線５の通電を検知したことを示す検知結果を端末装置２０に送信する。端末装置２０は、検知結果を受信すると、図１０（ａ）の画面６９０を表示する。画面６９０の作業結果エリア６０４には文言「活線」が表示される。
【０１００】
これにより、監督者は、配電線５が通電していると判断し作業Ｗ４の完了を承認するため、承認ボタン６０５が押下する。表示画面は、画面６９０から画面７００に遷移する。画面７００の報知エリア６０６には文言「活線動作 停電してください」が表示される。この場合、再度の検電を促すため、進捗状況エリア６０７には、文言「ステップ４」に完了を示すチェックマークは表示されない。なお、報知エリア６０６に、再度の検電を促すための文言をさらに表示してもよい。
【０１０１】
上記のようなユーザインターフェイス画面を表示することにより、監督者は作業者に対して適切な指示を与えることができる。また、作業者に対して適切な手順での作業を促すことができる。さらに、適切な順番で作業が実行されているか否か、現在の作業の進捗状況等をリアルタイムで確認することができる。
【０１０２】
＜機能構成＞
図１１は、検電器１０および端末装置２０の機能構成を示すブロック図である。
【０１０３】
図１１を参照して、検電器１０は、主たる機能構成として、動作確認部１５２と、検知部１５４と、近距離無線通信部１５６とを含む。これらの機能は、主に、ＣＰＵ１０２により実現される。なお、これらの機能構成の一部または全部はハードウェアで実現されていてもよい。
【０１０４】
端末装置２０は、近距離無線通信部２５２と、端末入力部２５４と、位置情報取得部２５６と、報知部２６０と、履歴情報登録部２６２と、情報通信部２６４と、判定部２７０とを含む。これらの機能は、主に、ＣＰＵ２０２により実現される。なお、これらの機能構成の一部または全部はハードウェアで実現されていてもよい。
【０１０５】
検電器１０の動作確認部１５２は、テストボタン１０８を用いた作業者からの指示に従って、検電器１０の健全性（具体的には、内部回路および電池電圧の健全性）を確認する。動作確認部１５２は、例えば、テストボタン１０８が押下されたときに発生する電圧を検出することにより内部回路および電池電圧の健全性を確認する。動作確認部１５２は、当該電圧を検出できた場合には、検電器１０の健全性の確認結果（すなわち、内部回路および電池電圧が正常であること）を示す動作確認情報を近距離無線通信部１５６に出力する。一方、動作確認部１５２は、当該電圧を検出できない場合には内部回路および電池電圧の少なくとも一方が異常であると判断し、当該動作確認信号を出力しない。
【０１０６】
検知部１５４は、検電対象物（例えば、配電線５）や既知電源（例えば、検電器チェッカー）の通電状態を検知する。検知部１５４は、検電対象物や既知電源の通電状態を検知すると、当該通電状態を示す検知結果（すなわち、検知部１５４の検知結果）を近距離無線通信部１５６に出力する。
【０１０７】
近距離無線通信部１５６は、通信インターフェイス１０６を介して、動作確認情報および検知結果を端末装置２０に送信する。
【０１０８】
端末装置２０の近距離無線通信部２５２は、通信インターフェイス２２０を介して、動作確認情報および検知結果を受信する。
【０１０９】
端末入力部２５４は、タッチパネル２０６を介して、ユーザ（ここでは、監督者）からの各種の指示入力を受け付ける。具体的には、端末入力部２５４は、検電器１０を用いた一連の作業Ｗ１〜Ｗ４の各々について、当該作業の完了を示す完了情報（例えば、承認ボタン６０５の押下を示す情報）の入力を受け付ける。位置情報取得部２５６は、端末装置２０の位置情報を取得する。
【０１１０】
報知部２６０は、検電器１０を用いた一連の作業Ｗ１〜Ｗ４に関する情報を報知する。具体的には、報知部２６０は、上述した各画面６００〜７００をディスプレイ２０８に表示させる。
【０１１１】
報知部２６０は、一連の作業Ｗ１〜Ｗ４のうち、作業者が現在行なうべき作業を報知する。例えば、報知部２６０は、作業Ｗ１に関する画面６１０〜６３０において、作業内容エリア６０２に現在行なうべき作業Ｗ１の内容を表示させる。
【０１１２】
また、報知部２６０は、検電器１０の健全性の確認作業の作業結果として、検電器１０から受信した当該健全性の確認結果を報知する。例えば、報知部２６０は、画面６１０において、検電器１０から受信した動作確認情報が示す確認結果として、作業結果エリア６０４に文言「テストＯＫ」を表示させる。さらに、報知部２６０は、検電対象物の通電状態の確認作業の作業結果として、検電器１０から受信した検知部１５４の検知結果を報知する。例えば、報知部２６０は、画面６９０において、検電器１０から受信した検知結果として、作業結果エリア６０４に文言「活線」を表示させる。
【０１１３】
また、報知部２６０は、一連の作業Ｗ１〜Ｗ４のうちの所定作業が完了した場合には、当該所定作業の次に作業者が行なうべき作業を報知する。例えば、報知部２６０は、作業Ｗ１が完了した場合（例えば、承認ボタン６０５あるいはボタン６０８を押下した場合）には、作業Ｗ１の次に作業者が行なうべき作業Ｗ２に関する画面６３０を表示させる。
【０１１４】
履歴情報登録部２６２は、一連の作業の各々の履歴情報を登録する。図５に示すように、履歴情報は、ユーザＩＤと、日時と、検電器ＩＤと、作業ＩＤと、作業結果と、位置情報と、承認情報とを含む。典型的には、位置情報は、監督者により承認ボタン６０５が押下されたときの端末装置２０の位置情報である。
【０１１５】
情報通信部２６４は、履歴情報をサーバ３０に送信する。また、情報通信部２６４は、監督者からの指示に従って、サーバ３０に格納されている履歴情報データベース５００の内容を示す情報を受信してもよい。
【０１１６】
判定部２７０は、ある局面では、一連の作業のうちの所定作業が行われるべき場所情報と、端末装置２０の現在の位置情報とに基づいて、当該所定作業が適切に行われたか否かを判断する。作業Ｗ１，Ｗ２は、場所Ｐａで行なわれるべき作業であり、作業Ｗ３，Ｗ４は、現場Ｐｂで行なわれるべき作業である。なお、端末装置２０のメモリ２０４には、現場Ｐｂの位置情報と、場所Ｐａの位置情報とを予め記憶されているとする。
【０１１７】
判定部２７０は、例えば、画面６１０において作業Ｗ１の完了の承認ボタン６０５が押下されたときに、作業Ｗ３を行なうべき現場Ｐｂの位置情報と、端末装置２０の現在の位置情報とを比較する。判定部２７０は、現在の位置情報が現場Ｐｂの位置情報から所定範囲内の位置を示している場合には、作業Ｗ３が適切な場所で行なわれたと判定する。
【０１１８】
一方、判定部２７０は、現在の位置情報が現場Ｐｂの位置情報から所定範囲内の位置を示していない場合には、作業Ｗ３が適切に行なわれていないと判定する。このように、所定作業が適切に行われていない場合には、報知部２６０は警告情報（例えば、文言「適切な場所で作業をしてください」等）を報知する。
【０１１９】
判定部２７０は、他の局面では、所定作業の内容と、検電器１０から受信した情報とに基づいて、当該所定作業が適切に行われているか否かを判定する。ここで、所定作業が作業Ｗ１であり、画面６００が表示されている場面を想定する。検電器１０から受信した情報が動作確認情報である場合には、判定部２７０は、当該受信した情報が作業Ｗ１の作業結果を適切に示していると判定する。
【０１２０】
一方、検電器１０から受信した情報が検知部１５４による検知結果（すなわち、作業Ｗ２，Ｗ４の作業結果を示す情報）である場合には、判定部２７０は、作業Ｗ１が適切に行なわれていない（すなわち、当該受信した情報が作業Ｗ１の作業結果を示していない）と判定する。このように、所定作業が適切に行われていない場合には、報知部２６０は警告情報（例えば、文言「適切な作業を行なってください」等）を報知する。
【０１２１】
＜処理手順＞
図１２は、端末装置２０の動作の一例を示すフローチャートである。
【０１２２】
図１２を参照して、ＣＰＵ２０２は、作業者が現在行なうべき作業（以下、「現作業」とも称する。）の内容をディスプレイ２０８に表示する（ステップＳ１０）。例えば、現作業が作業Ｗ１である場合、ＣＰＵ２０２は、図６（ａ）に示す画面６００における文言「１．使用前点検（テスト）」や文言「テストしてください。」等を表示する。
【０１２３】
ＣＰＵ２０２は、検電器１０から受信した情報（例えば、動作確認情報や検知結果等）に基づいて、現作業の作業結果を表示する（ステップＳ１２）。例えば、現作業が作業Ｗ１である場合、ＣＰＵ２０２は、図６（ｂ）に示す画面６００における文言「テストＯＫ」等を表示する。
【０１２４】
ＣＰＵ２０２は、承認ボタン６０５を介して、現作業の完了の承認指示の入力を受け付けたか否かを判断する（ステップＳ１４）。当該承認指示の入力を受け付けていない場合には（ステップＳ１４においてＮＯ）、ＣＰＵ２０２は、現作業の履歴情報をサーバ３０に送信した後（ステップＳ１５）、ＣＰＵ２０２はステップＳ１４の処理を繰り返す。このとき、ＣＰＵ２０２は、当該履歴情報をメモリ２０４にも格納する。
【０１２５】
一方、当該承認指示の入力を受け付けた場合には（ステップＳ１４においてＹＥＳ）、ＣＰＵ２０２は、現作業の履歴情報をサーバ３０に送信する（ステップＳ１６）。このとき、ＣＰＵ２０２は、当該履歴情報をメモリ２０４にも格納する。また、ＣＰＵ２０２は、現作業が適切ではないと判定した場合には、警告情報を報知してもよい。
【０１２６】
続いて、ＣＰＵ２０２は、一連の作業の進捗状況を更新する（ステップＳ１８）。例えば、現作業が作業Ｗ１である場合、ＣＰＵ２０２は、図６（ｃ）に示す画面６２０の進捗状況エリア６０７の文言「ステップ１」にチェックマークを重畳表示する。
【０１２７】
ＣＰＵ２０２は、一連の作業がすべて完了したか否かを判断する（ステップＳ２０）。具体的には、ＣＰＵ２０２は作業Ｗ４が完了したか否かを判断する。一連の作業がすべて完了した場合には（ステップＳ２０においてＹＥＳ）、ＣＰＵ２０２は処理を終了する。一連の作業がすべて完了していない場合には（ステップＳ２０においてＹＥＳ）、ＣＰＵ２０２は、現作業の次の作業を特定して（ステップＳ２２）、ステップＳ１０からの処理を繰り返す。
【０１２８】
＜利点＞
本実施の形態によると、端末装置２０の表示画面に現在行なうべき作業が表示されるため、検電の際の作業手順の遵守を支援できる。これにより、作業者の誤操作等を防止して安全な作業の遂行を促すことができる。また、端末装置２０を使用する監督者は、検電に関する一連の作業が手順通りに適切に行われているのかを確認できる。これにより、監督者は作業者に対して適切な指導を行なうことができる。
【０１２９】
本実施の形態によると、作業が適切に行なわれていない場合には、端末装置２０のユーザ（監督者あるいは作業者）に警告情報を報知することができる。
【０１３０】
本実施の形態によると、検電に関する一連の作業の各々の履歴情報を記憶することにより、作業後に各作業が適切に実施されたのかを確認することができる。これにより、例えば、作業による事故が発生した場合の原因追究が容易となる。
【０１３１】
本実施の形態によると、サーバ３０は、ユーザＩＤ別に端末装置２０から送信された履歴情報を管理することができる。端末装置２０は、サーバ３０にアクセスすることによりユーザ単位で履歴情報を確認することができる。
【０１３２】
＜その他の実施の形態＞
（１）上述した実施の形態において、サーバ３０は、履歴情報データベース５００に格納されるユーザＩＤに対応する端末装置２０（例えば、ユーザＩＤに関連付けられた端末ＩＤを有する端末装置２０）に、各種情報を通知してもよい。
【０１３３】
具体的には、サーバ３０は、検電器１０の検電器ＩＤと、製造年月日と、校正推奨年月日とを関連付けて記憶しておく。サーバ３０は、現在日時が校正推奨年月日の所定期間前（例えば、１ヶ月前）になった場合に、校正推奨の案内を検電器ＩＤに関連付けられた端末ＩＤを有する端末装置２０に送信してもよい。
【０１３４】
サーバ３０は、その他の情報（例えば、検電器の新製品情報、アンケート入力依頼案内、電気事故情報、リコール情報等）を端末装置２０に送信してもよい。
【０１３５】
（２）上述した実施の形態において、端末装置２０は、検電器１０のテストボタン１０８が押下された際に、検電器１０から電池電圧情報を取得してもよい。この場合、端末装置２０は、電池電圧情報をメモリ２０４に格納する。端末装置２０は、電池電圧が所定電圧以下になった場合には、電池の交換を促す情報を報知してもよい。
【０１３６】
また、端末装置２０は、電池電圧情報をサーバ３０に送信してもよい。この場合、サーバ３０は、電池電圧情報が示す電池電圧が所定電圧以下になった場合には、電池の交換を促す情報を端末装置２０に送信してもよい。
【０１３７】
（３）上述した実施の形態では、端末装置２０がサーバ３０に履歴情報を送信し、サーバ３０に履歴情報が記憶される構成について説明した。ここで、端末装置２０は、メモリ２０４に履歴情報を記憶しておいてもよい。例えば、サーバ３０に接続できず履歴情報を送信できなかった場合には、端末装置２０は、メモリ２０４に記憶されている未送信の履歴情報を、サーバ３０への接続後にまとめて送信してもよい。
【０１３８】
（４）上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３９】
プログラムは、コンピュータのオペレーティングシステム（ＯＳ）の一部として提供されるプログラムモジュールのうち、必要なモジュールを予め定められた配列で予め定められたタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１４０】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１４１】
（５）上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１４２】
また、上述した実施の形態において、他の実施の形態で説明した処理や構成を適宜採用して実施する場合であってもよい。
【０１４３】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１４４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４５】
５  配電線、１０  検電器、２０  端末装置、３０  サーバ、１０２，２０２  ＣＰＵ、１０４，２０４  メモリ、１０６，２２０  通信インターフェイス、１０８  テストボタン、１１０  検知センサ、１１２  バッテリ、１１４，２１６  スピーカ、１５２  動作確認部、１５４  検知部、１５６，２５２  近距離無線通信部、２０６  タッチパネル、２０８，３０８  ディスプレイ、２１０  無線通信部、２１２  通信アンテナ、２１４  ＧＰＳモジュール、２１８  マイク、２２２  メモリインターフェイス、２２４  記憶媒体、２５４  端末入力部、２５６  位置情報取得部、２６０  報知部、２６２  履歴情報登録部、２６４  情報通信部、２７０  判定部、５００  履歴情報データベース。
【図１】
2019144111.tif 000003
【図２】
2019144111.tif 000004
【図３】
2019144111.tif 000005
【図４】
2019144111.tif 000006
【図５】
2019144111.tif 000007
【図６】
2019144111.tif 000008
【図７】
2019144111.tif 000009
【図８】
2019144111.tif 000010
【図９】
2019144111.tif 000011
【図１０】
2019144111.tif 000012
【図１１】
2019144111.tif 000013
【図１２】
2019144111.tif 000014